(57)【特許請求の範囲】
【請求項１】
合成樹脂材質の半円柱状を呈し、合成樹脂材質の床材を内側に備えた水入りの多数の水槽と、
前記水槽の内側に設けられ、一側と他側が前記水槽の外部に突出した波形管と、
前記水槽から排出された水が酸性水とアルカリ水に分類されて貯留される流水貯水部と、
前記水槽から排出された水が貯留され、前記水槽へ前記流水貯水部からのアルカリ水または酸性水を供給し、内部には吸着板を備えた濾過部と、
前記波形管を通して循環する水を加熱させる加熱部と、
前記波形管を通して循環する水を冷却させる冷却部と、
前記水槽の上面の一側端から他側端まで繋がるように設けられる多数のカバー支持紐とを含んでなることを特徴とする、リサイクル資材を用いたインキュベーター式養魚場。
【請求項２】
前記水槽から排出される水のうち、９％〜１１％は流水貯水部に貯留され、８９％〜９１％は濾過部に貯留されることを特徴とする、請求項１に記載のリサイクル資材を用いたインキュベーター式養魚場。
【請求項３】
前記加熱部は練炭ボイラーおよび油ボイラーを含むことを特徴とする、請求項１に記載のリサイクル資材を用いたインキュベーター式養魚場。
【請求項４】
前記カバー支持紐は、
前記水槽の一側端の長さの２４％〜２６％地点とこれに対応する他側端の長さの２４％〜２６％地点とを結ぶ第１カバー支持紐と、
前記水槽の一側端の長さの４９％〜５１％地点とこれに対応する他側端の長さの４９％〜５１％地点とを結ぶ第２カバー支持紐と、
前記水槽の一側端の長さの７４％〜７６％地点とこれに対応する他側端の長さの７４％〜７６％地点とを結ぶ第３カバー支持紐とを含むことを特徴とする、請求項１に記載のリサイクル資材を用いたインキュベーター式養魚場。
【請求項５】
前記水槽は空気供給部を含むことを特徴とする、請求項１に記載のリサイクル資材を用いたインキュベーター式養魚場。
【発明の詳細な説明】
【技術分野】
【０００１】
本発明は、リサイクル資材を用いたインキュベーター式養魚場に係り、詳しくは、消毒薬や抗生剤などの有害薬品を使用することなく養魚場の水質を持続的に改善させることができ、冷却部と加熱部を備えて寒さや厚さなど気温の急激な変化に関係なく運用することができる、リサイクル資材を用いたインキュベーター式養魚場に関する。
【背景技術】
【０００２】
養魚場の水質は、余剰餌および魚類の排泄物が養魚場の底部に沈澱および堆積し、閉鎖的な循環過程によって汚染物質が引き続き蓄積されるため、持続的な水質管理が行われなければ必然的に富栄養化水質に転落してしまう。
【０００３】
一般な陸上式養魚場は、殆ど閉鎖された１つの空間であって、少量の有機性または無機性汚染物質が流入しても、その生態系は不均衡をもたらす。大部分の養魚場が一応汚染し始めると、汚染源が遮断されるとしても、汚染度が増加し続けるという特性がある。よって、各養魚場に合う適切で経済的な水質保存または水質改善が急な課題である。
【０００４】
通常、水質を悪化させる因子は、周辺の空気変化および水質汚染による悪性細菌、バクテリアおよびその他ウイルスの個体数の増加、水中の毒性物質量の増加、アンモニアなどの有害ガスを放出する有機物の生成、植物性プランクトンによる動物性プランクトンの増加により溶存酸素の不足現象、水の透明度低下、ｐＨの低下、急激な害虫の出没などである。
【０００５】
そこで、かかる問題を解決するために、養魚場に化工薬品などの抗生剤、消毒薬、猛毒性薬品を撒布する方法を試みているが、持続的な薬品撒布による残留成分が蓄積されながら魚類が斃死してしまうという問題点がある。
【０００６】
また、従来の養魚場では水の温度を上昇させるために熱水を直接供給したが、このような方法は、養魚場内の水の温度を均一に加熱させないうえ、熱水の入る部分は急激な温度上昇により自浄能力のある好気性バクテリアなどが生きられないという問題点がある。
【発明の概要】
【発明が解決しようとする課題】
【０００７】
本発明は、上述した問題点を解決するためのもので、その目的は、消毒薬や抗生剤などの有害薬品を使用することなく、自然かつ環境調和的方式で養魚場の水質を容易で持続的に改善させることができ、冷却部と加熱部を備えて寒さおよび暑さなど温度の変化に関係なく、温水性魚類および冷水性魚類を場所を問わずにどこでも養うことができる、リサイクル資材を用いたインキュベーター式養魚場を提供することにある。
【課題を解決するための手段】
【０００８】
上記目的を達成するための本発明は、合成樹脂材質の半円柱状をし、合成樹脂材質の床材を内側に備えた水入りの多数の水槽と、前記水槽の内側に設けられ、一側と他側が前記水槽の外部に突出した波形管と、前記水槽から排出された水が酸性水とアルカリ水に分類されて貯留される流水貯水部と、前記水槽から排出された水が貯留され、前記水槽へ前記流水貯水部からのアルカリ水または酸性水を供給し、内部には吸着板を備えた濾過部と、前記波形管を通して循環する水を加熱させる加熱部と、前記波形管を通して循環する水を冷却させる冷却部と、前記水槽の上面の一側端から他側端まで繋がるように設けられる多数のカバー支持紐とを含んでなる、リサイクル資材を用いたインキュベーター式養魚場を提供する。
【０００９】
前記水槽から排出される水のうち、９％〜１１％は流水貯水部に貯留され、８９％〜９１％は濾過部に貯留され得る。
【００１０】
前記加熱部は練炭ボイラーおよび油ボイラーを含んでもよい。
【００１１】
前記カバー支持紐は、前記水槽の一側端の長さの２４％〜２６％地点とこれに対応する他側端の長さの２４％〜２６％地点とを結ぶ第１カバー支持紐、前記水槽の一側端の長さの４９％〜５１％地点とこれに対応する他側端の長さの４９％〜５１％地点とを結ぶ第２カバー支持紐、および前記水槽の一側端の長さの７４％〜７６％地点とこれに対応する他側端の長さの７４％〜７６％地点とを結ぶ第３カバー支持紐を含んでもよい。
【００１２】
前記水槽は空気供給部を含んでもよい。
【発明の効果】
【００１３】
上述したように、本発明によれば、消毒薬や抗生剤などの有害薬品を使用することなく、自然且つ環境調和的方式で養魚場の水質を容易で持続的に改善させることができ、冷却部と加熱部を備えて寒さおよび暑さなど温度の変化に関係なく、温水性魚類および冷水性魚類を場所を問わずにどこでも養うことができる、リサイクル資材を用いたインキュベーター式養魚場を提供することができる。
【図面の簡単な説明】
【００１４】
【図１】本発明の一実施例に係るリサイクル資材を用いたインキュベーター式養魚場を示すブロック図である。
【図２】本発明の一実施例に係る水槽を示す斜視図である。
【発明を実施するための形態】
【００１５】
以下、本発明の属する技術分野における通常の知識を有する者が本発明を容易に実施し得る程度に詳細に説明するために、本発明の好適な実施例を添付図面に基づいて詳細に説明する。
【００１６】
図１は本発明の一実施例に係る年間を通じて運用することが可能な養魚場を示すブロック図、図２は本発明の一実施例に係る水槽を示す斜視図である。  
本発明の一実施例に係る年間を通じて運用することが可能な養魚場は、図１に示すように、水で満たされて魚類（図示せず）が生息する第１水槽１００、第２水槽２００、濾過部３００、第１加熱部４００、第２加熱部５００、冷却部６００および空気供給部７００から構成される。
【００１７】
本発明では、魚類の生息する水槽を第１水槽１００と第２水槽２００の２つに示したが、魚類の種類または魚類の生態特性などに応じて必要であればさらに追加して備えてもよい。
【００１８】
水槽１００、２００は、下水管などとして使用されていた円筒状の合成樹脂材質（リサイクル再生プラスチック）の管を長さ方向に半分ずつ分けて使用する。よって、水槽１００、２００は、半円柱状をし、下水管などとして使用しているリサイクル資材をリサイクルするので、施設費用を画期的に節減することができ、環境を保存することができる。
【００１９】
参考として、本発明では、合成樹脂材質の管を、魚類を養殖する水槽１００、２００として使用したが、必要に応じて農作物や草花などの植物、宮入貝や田螺などの貝類、魚類の餌となるミジンコなどを生産するための用途として使用することもできる。
【００２０】
水槽１００、２００の内側底部には合成樹脂材質の第１床材１３０と第２床材２３０がそれぞれ設けられる。
【００２１】
床材１３０、２３０は、地面から伝達される冬季の冷気または夏季の熱気を遮断させることができるので、保温材の役目もする。
【００２２】
水槽１００、２００の内側下部には温水または冷水が循環する第１波形管１９０と第２波形管２９０がそれぞれ設けられ、波形管１９０、２９０の一側と他側は水槽１００、２００の一側にそれぞれ突出する。
【００２３】
水槽１００、２００の外部には、温水を供給する第１加熱部４００と第２加熱部５００が設けられるとともに、冷水を供給する冷却部６００が設けられる。
【００２４】
第１加熱部４００の他側と第２加熱部５００の一側とは互いに連結され、第１加熱部４００の一側には、第１加熱部４００と第２加熱部５００で温められた温水が排出されて流れるように第１循環管４３０が連結される。
【００２５】
よって、波形管１９０、２９０の一側はそれぞれ第１循環管４３０に連結されて温水の供給を受け、温水は水槽１００、２００内の波形管１９０、２９０を通して循環しながら、水槽１００、２００に満たされた水の温度を上昇させる。
【００２６】
ここで、温水の温度は魚類によって１８℃〜３８℃に調節することができる。これは温水性魚類が温度の変化に幅広く適用されるようにするためである。
【００２７】
波形管１９０、２９０を通して流れる温水は、水槽１００、２００に満たされた水の温度を間接にゆっくり上昇させるので、水槽１００、２００に生息する魚類がストレスを少なく受け、自浄能力のある微生物なども生存することができる。
【００２８】
次いで、波形管１９０、２９０に沿って循環した温水は波形管１９０、２９０の他側から排出され、波形管１９０、２９０の他側は第２加熱部５００の他側に連結される第２循環管５３０にそれぞれ連結され、波形管１９０、２９０の他側から排出される水はさらに温められるために第１加熱部４００と第２加熱部５００へ供給される。
【００２９】
しかも、第２循環管５３０の一側には、水の循環を円滑にするためにモーターポンプなどの第１動力部５１０が設けられる。
【００３０】
冷却部６００の一側には、冷却部６００で冷却された冷水が排出されて流れるように第１冷却管６１０の一側が連結され、第１冷却管６１０の他側は第１循環管４３０に連結されることにより、波形管１９０、２９０へ冷水を供給し、水槽１００、２００に満たされた水の温度を冷却させる。
【００３１】
ここで、冷水の温度は魚類に応じて０℃〜１７℃に調節することができる。これは冷水性魚類が温度の変化に幅広く適用されるようにするためである。
【００３２】
波形管１９０、２９０を通して流れる冷水も、水槽１００、２００に満たされた水の温度を間接にゆっくり冷却させるので、水槽１００、２００に生息する魚類がストレスをあまり受けない。
【００３３】
次いで、波形管１９０、２９０に沿って循環した冷水は、第１循環管５３０を通して流れており、冷却部６００の他側に一側が連結され且つ他側が第２循環管５３０に連結される第２冷却管６３０へ流れて、さらに冷却されるために冷却部６００へ供給される。
【００３４】
このように、波形管１９０、２９０を通して水槽１００、２００に満たされた水の温度をゆっくり加熱または冷却させることにより、水質の変化に敏感な好気性バクテリアなどの微生物の生存を最大限保護することができ、魚類に発生する各種疾病を予防することができるため、良質の魚類を生産することができる。
【００３５】
ここで、第１循環管４３０の一側と第２循環管５３０の一側には第１転換弁４５０と第２転換弁５５０がそれぞれ設けられるが、冷却部６００を稼動して冷水を波形管１９０、２９０へ供給する際には、冷却部６００から排出される冷水が第１加熱部４００と第２加熱部５００へ流入するのを防止するために、第１弁４５０と第２弁５５０を遮断させる。
【００３６】
同様に、第１冷却管６１０の一側と第２冷却管６３０の一側には第１冷却弁６５０と第２冷却弁６７０がそれぞれ設けられるが、第１加熱部４００または第２  加熱部５００を稼動して温水を波形管１９０、２９０へ供給する際には、加熱部４００、５００から排出される温水が冷却部６００へ流入するのを防止するために、第１冷却弁６５０と第２冷却弁６７０を遮断させる。
【００３７】
しかも、第１加熱部４００としては練炭ボイラーを備え、第２加熱部５００としては油ボイラーを備える。
【００３８】
よって、第１加熱部４００および第２加熱部５００のいずれか一方のみを稼動しても温水を水槽１００、２００へ供給することができるから、第２加熱部５００の油が稼動中に切れてしまうと、第１加熱部４００のみで温水を供給することができ、逆に第１加熱部４００の稼動中に練炭が切れてしまうと、第２加熱部５００のみで温水を供給することができる。
【００３９】
特に、冬季に加熱部４００、５００のいずれか１つが故障してももう１つの加熱部によって水槽１００、２００の水の温度を上昇させることができるから、魚類が凍死してしまうなどの被害がなく、２つの加熱部４００、５００のいずれか１つが故障してももう１つの加熱部によって他の加熱部が暖められるので、冬季に凍って破裂する被害などがない。
【００４０】
よって、加熱部４００、５００と冷却部６００を調節して養魚場を年間を通じて運用することができる。
【００４１】
また、本発明に係る練炭ボイラーと油ボイラーの他に、電気ボイラー（図示せず）または太陽熱集熱ボイラー（図示せず）などをさらに備えてもよい。
【００４２】
よって、練炭ボイラーまたは油ボイラーの稼動を行うことができなくなると、電気ボイラーを稼動させることができる。また、急激な停電になっても、１日〜３日間熱エネルギーを供給することが可能な太陽熱集熱ボイラーを稼動させることができる。
【００４３】
一方、第１水槽１００には鯉や鰻などの温水性魚類を養い、第２水槽２００には鱒、鮭などの冷水性魚類を養おうとすれば、第１水槽１００は加熱部４００、５００を介して温水を供給し、第２水槽２００は冷却部６００を介して冷水を供給する。よって、温水性魚類と冷水性魚類を同時に養うことができる。
【００４４】
しかも、水槽１００、２００には水中の酸素を供給するための空気供給部７００が設けられる。
【００４５】
空気供給部７００は、空気が通る空気流入管７１０を水槽１００、２００にそれぞれ挿入させ、挿入された空気流入管７１０の一側に設けられた多数の第１空気供給口７３０を介して第１水槽１００に空気を供給し、多数の第２空気供給口７５０を介して第２水槽２００に空気を供給する。
【００４６】
したがって、水槽１００、２００に供給される空気は、水槽１００、２００の内部全域を循環しながら、水槽１００、２００に満たされた水の溶存酸素を均一に保って水質を浄化し安定化させる。
【００４７】
第１水槽１００の一側には、第１水槽１００に満たされた水が排出されるように第１流水口１１０が設けられ、第２水槽２００の一側には、第２水槽２００に満たされた水が排出されるように第２流水口２１０が設けられる。
【００４８】
第１流水口１１０には第１水槽１００から排出される水の流れる流水管１２０が連結され、第２流水口２１０も第２水槽２００から排出される水が流れるように流水管１２０に連結される。
【００４９】
濾過部３００は、水槽１００、２００と同じ材質および形態を有し、一側には流水管１２０に連結される流入口３１０が設けられ、流水管１２０へ流れる水の供給を受ける。
【００５０】
濾過部３００の内部には、流水管１２０から供給を受けた水に含まれた異物やスラッジ(sludge)などを除去するための吸着板３３０が設けられる。
【００５１】
濾過部３００の他側には濾過部３００から排出される水の流れる供給管３５０が連結され、水槽１００、２００の他側には供給管３５０から水の供給を受けられる第１供給口１７０および第２供給口２７０が設けられる。
【００５２】
しかも、第１供給口１７０と第２供給口２７０の付近には第１水槽１００および第２水槽２００へ供給される水の量を調節することが可能な第１供給弁３６０と第２供給弁３７０がそれぞれ設けられ、供給管３５０の一側には水が円滑に流れるようにするためにモーターポンプなどの第２動力部３９０が設けられる。
【００５３】
このように設けられた本発明に係る水槽１００、２００で魚類が生活していて、水が酸性化するおそれがある。
【００５４】
すると、濾過部３００は、アルカリ水を供給管３５０を通して第１供給口１７０と第２供給口２７０へ供給して中和させ、水槽１００、２００で酸性化した水は比重が軽いため水面側へ移動し、第１流水口１１０と第２流水口２１０を開いて酸性化水を排出させる。
【００５５】
次いで、酸性化水は流水管１２０に沿って流れていて、濾過部３００に貯留されるが、この際、水槽１００、２００から排出される水のうち、９％〜１１％は流水管１２０の端部に設けられた流水貯水部１５０に貯留され、残り８９％〜９１％は濾過部３００にさらに貯留される。
【００５６】
流水貯水部１５０は酸性水貯水部１５１とアルカリ水貯水部１５３に分けられる。
【００５７】
よって、水槽１００、２００から酸性水が排出されると、酸性水貯水部１５１に貯留され、アルカリ水が排出されると、アルカリ水貯水部１５３に貯留される。
【００５８】
また、水槽１００、２００から排出される水によって酸性水またはアルカリ水に分類されるように貯留させるために、酸性水貯水部１５１の一側には第１流水弁２５１が設けられ、アルカリ水貯水部の一側には第２流水弁２５２が設けられる。
【００５９】
よって、水槽１００、２００から酸性水が排出されると、第１流水弁２５１は開き、第２流水弁２５３は遮断させることにより、酸性水を酸性水貯水部１５１に貯留させる。
【００６０】
逆に、水槽１００、２００からアルカリ水が排出されると、第１流水弁２５１は遮断させ、第２流水弁２５３は開くことにより、アルカリ水をアルカリ水貯水部１５３に貯留させる。
【００６１】
流水貯水部１５０に貯留された水は濾過部３００に供給されるようにするが、酸性水貯水部１５３の他側とアルカリ水貯水部１５３の他側には濾過部３００に連結される補充水管２５９が設けられる。
【００６２】
しかも、酸性水貯水部１５１の他側には第１補充弁２５５が設けられ、アルカリ水貯水部１５３の他側には第２補充弁２５７が設けられる。
【００６３】
よって、濾過部３００へ酸性水を供給するためには、第１補充弁２５５を開き、第２補充弁２５７を遮断させ、補充水管２５９を通して酸性水を供給する。逆に、濾過部３００へアルカリ水を供給するためには、第１補充弁２５５を遮断させ、第２補充弁２５７を開いてアルカリ水を供給する。
【００６４】
一方、水槽１００、２００から排出されて濾過部３００に貯留された酸性化水は供給管３５０を通してさらに第１水槽１００と第２水槽２００へ供給されるが、これは、水質環境が急に変わると魚類に各種疾病が誘発されるから、既存の水質環境と類似するようにするために、水槽１００、２００から排出される水の相当量をさらに水槽１００、２００へ供給するのである。
【００６５】
逆に、本発明に係る水槽１００、２００で魚類が生活していて、水がアルカリ化すると、第１流水口１１０と第２流水口２１０を開いてアルカリ化水を排出させる。
【００６６】
アルカリ化水は、流水管１２０に沿って流れていて、濾過部３００に貯留されるが、同様に、水槽１００、２００から排出される水のうち、９％〜１１％は流水管１２０の端部に設けられた流水貯水部１５０に貯留され、残り８９％〜９１％が濾過部３００にさらに貯留される。
【００６７】
濾過部３００に貯留された水は供給管３５０を通してさらに第１水槽１００と第２水槽２００へ供給されるが、そのような理由は上記のとおりである。
【００６８】
アルカリ化水が濾過部３００に貯留されると、酸性化させて水槽１００、２００に供給させるが、水を酸性化させるためには濾過部３００に貯留された水に蚊の幼虫やカゲロウの幼虫などの水生昆虫を含ませると、酸性になる。或いは、酸性水貯水部１５１に貯留された酸性水の供給を流水貯水部１５０から受け、水槽１００、２００に供給させればよい。
【００６９】
同様に、酸性化水が濾過部３００に貯留されると、アルカリ化させて水槽１００、２００に供給させるが、この際はアルカリ水貯水部１５３に貯留されたアルカリ水の供給を流水貯水部１５０から受け、水槽１００、２００に供給させればよい。
【００７０】
一方、第１水槽１００および第２水槽２００のいずれか１つに満たされた水が酸性化またはアルカリ化になれる。
【００７１】
この際は、該当する水槽にのみ濾過部３００を介して満たされた水を中和させる。
【００７２】
例えば、第１水槽１００のみが酸性化した場合には、第２供給口２７０および第２供給弁３７０を遮断させ、第１供給口１７０および第２供給弁３６０を開くことにより、第１水槽１００にアルカリ水を供給する。
【００７３】
続いて、第２流水口２１０を遮断させ、第１流水口１１０のみを開き、酸性化水を排出させて濾過部３００に貯留させる。
【００７４】
参考として、第１水槽１００または第２水槽２００から排出される水を流水貯水部１５０に貯留せず、全て濾過部３００に貯留させるためには、第１流水弁２５１と第２流水弁２５２を遮断させることにより、流水貯水部１５０に貯留される水が無いようにすればよい。
【００７５】
逆に、第１水槽１００または第２水槽２００から排出される水を全て流水貯水部１５０に貯留させるためには、流入口３１０を遮断させ、第１流水弁２５１または第２流水弁２５２を開くことにより、流水貯水部１５０に全て貯留されるようにすればよい。
【００７６】
第１水槽１００または第２水槽２００から排出されて濾過部３００に貯留される水および流水貯水部１５０から供給を受けた水に含まれた異物やスラッジなどは、吸着板３３０を介して濾過され、異物やスラッジなどが濾過されたきれいな水が供給管３５０を通して第１水槽１００と第２水槽２００へ供給される。
【００７７】
また、第１水槽１００と第２水槽２００にも魚類の排泄物や餌の滓などの異物が存在するが、これらは底部に備えられた床材１３０、２３０に沈澱する。
【００７８】
このような異物により細菌や害虫などが発生すると、魚類が斃死するおそれがあるため、本発明に係る床材１３０、２３０は周期的に交換し、交換周期は２年とすることが好ましい。
【００７９】
よって、吸着板を介して水中の異物やスラッジなどを１次的に濾過し、床材１３０、２３０を介しても水中の異物を２次的に除去することができるため、消毒薬などの有害薬品を撒布するなどの防除を行う必要がない。
【００８０】
また、本発明に係る水槽１００、２００は、半円状を呈するので、水面から底部までの深さが中心にくるほど深くなる。よって、水が深くなるにつれて、水圧も変わる。
【００８１】
したがって、魚類の種類によって、好む生息地の深さが異なるため、様々な種類の魚類を同じ水槽１００、２００で養うことができる。
【００８２】
水槽１００、２００の上面には、一側端から他側端に繋がるように第１カバー支持紐８１０、第２カバー支持紐８２０および第３カバー支持紐８３０が設けられるが、水槽１００、２００をカバー８５０で覆うと、カバー支持紐８１０、８２０、８３０がカバー８５０を支持し、カバー８５０が水面に垂下しなくなる。
【００８３】
カバー８５０は、光を遮断させることが可能な材質であり、黒色を使用することが好ましい。よって、カバー８５０は、遮光網を用いることができ、太陽光の６５％〜７５％を遮断させることができるものを使用する。こうすることにより、水槽１００、２００で魚類と共生する微生物が生活するのには適するためである。
【００８４】
第１カバー支持紐８１０は、水槽１００、２００の一側端の長さの２４％〜２６％地点とこれに対応する他側端の長さの２４％〜２６％地点とを結ぶように設けられ、第２カバー支持紐８２０は、水槽１００、２００の一側端の長さの４９％〜５１％地点とこれに対応する他側端の長さの４９％〜５１％地点とを結ぶように設けられる。そして、第３カバー支持紐８３０は、水槽１００、２００の一側端の長さの７４％〜７６％地点とこれに対応する他側端の長さの７４％〜７６％地点とを結ぶように設けられる。
【００８５】
一方、水槽１００、２００の一部のみカバー８５０を覆う必要が生じることもあるが、カバー８５０を水槽１００、２００の縁部から第１カバー支持紐８１０までのみ覆うと、水槽１００、２００の上面面積の約２５％程度を覆うことになる。
【００８６】
カバー８５０を水槽１００、２００の縁部から第２カバー支持紐８２０までのみ覆うと、水槽１００、２００の上面面積の約５０％程度を覆うことになる。
【００８７】
同様に、カバー８５０を水槽１００、２００の縁部から第３カバー支持紐８３０までのみ覆うと、水槽１００、２００の上面面積の約７５％程度を覆うことになる。
【００８８】
このような方式で、カバー支持紐８１０、８２０、８３０によって所望の広さだけ水槽１００、２００をカバー８５０で覆うことができる。
【００８９】
しかも、水槽１００、２００の水面には、水質状態を測定し、測定された結果を伝送するためのセンサー部（図示せず）を設置してもよい。センサー部は、水槽１００、２００に貯留された水の温度を測定するための温度センサー（図示せず）、溶存酸素を測定するための溶存酸素センサー（図示せず）、ｐＨを測定するためのｐＨセンサー（図示せず）、および水位または濁度などを測定するための水位および濁度センサー（図示せず）から構成できる。
【００９０】
必要に応じて、アンモニア性窒素または硝酸塩などの濃度を測定することが可能なセンサーも設置してもよい。
【００９１】
一方、空気供給部７００はリングブロワーを使用することが好ましく、水槽１００、２００内に設けられる第１空気供給口７３０および第２空気供給口７５０の個数は魚類の量に応じて調節することができる。
【００９２】
したがって、水槽１００、２００に魚類がたくさん生息すると、比例的に水質を速く安定化させるために、空気供給部７３０、７５０の個数を多数にすることが好ましい。
【００９３】
よって、水質を速く安定化させ、未生物が生活するのに最適の環境を提供することができ、いずれの魚類でも短期間内に育成することができ、無公害で良質の魚類を生産することができる。
【００９４】
以上、本発明の好適な実施例について説明したが、本発明が必ずしもこれに限定されるのではなく、本発明の属する技術分野における通常の知識を有する者であれば、本発明の技術的思想から逸脱することなく様々な置換、変形または変更を加え得ることを理解するであろう。
【符号の説明】
【００９５】
１００：第１水槽        １９０：第１波形管
２００：第２水槽        ２９０：第２波形管
３００：濾過部          ３３０：吸着板
４００：第１加熱部      ５００：第２加熱部
６００：冷却部          ８１０：第１カバー支持部
８２０：第２カバー支持部 ８３０：第３カバー支持部
８５０：カバー
【図１】
0005448006.tif 000002
【図２】
0005448006.tif 000003